(57)【特許請求の範囲】
【請求項１】
昇降可能な刈取装置（２）の穀稈引起装置（３）上側から脱穀装置（５）の穀稈供給口部（６）上方に亘る間に、前部防塵カバー（７）と開閉可能の後部防塵カバー（８）とから成る防塵カバーを設け、前記穀稈引起装置（３）の引起ラグ（１１）の速度を変更操作する引起変速レバー（１２）を前記防塵カバーの内側に取り付け、前記脱穀装置（５）の穀稈供給口部（６）側にフィードチェン（２０）の始端部上に配置する引継ぎガイド（４９）を上下回動可能に設けて、前記後部防塵カバー（８）を開いた状態で引継ぎガイド（４９）を上方へ回動させて該引継ぎガイド（４９）の前側に穀稈供給間隔（Ｃ）部を形成して手刈り穀稈を該穀稈供給間隔（Ｃ）部からフィードチェン（２０）と挟扼杆（２１）との間に供給できるように構成し、前記前部防塵カバー（７）の前面に作業灯（４７）を設けて該作業灯（４７）によって前方を照らせるように構成し、前記刈取装置（２）を、刈取フレーム（９）によって昇降可能に構成し、前記穀稈引起装置（３）を、刈取フレーム（９）の前部から立設される引起ピラー（２５）の上端部で門型を構成する引起伝動ケース（２６）と引起ケース（２９）とから構成し、前記引起ピラー（２５）と引起伝動ケース（２６）との間に引起ケース（２９）内の引起ラグ（１１）の速度を高、低に変更する変速部を設け、さらに、前記前部防塵カバー（７）を、前記刈取フレーム（９）に一体に取り付けられるカバー支持フレーム（１０）によって一定位置に支持固定する構成とし、前記後部防塵カバー（８）を、前記刈取フレーム（９）が昇降回動する昇降軸（２３）の回りに前後回動するカバー支持アーム（３８）で支持して前後方向に移動可能に構成し、前記後部防塵カバー（８）が前方へ移動して開いているときの作業灯（４７）の照射域（Ｌ１）を、前方だけでなく引起ケース（２９）の直前に近い部分をも照射して該後部防塵カバー（８）が後退しているときの照射域（Ｌ２）よりも広くなるように構成したことを特徴とするコンバイン。
【発明の詳細な説明】
【技術分野】
【０００１】
この発明は、コンバインに関するものである。
【背景技術】
【０００２】
従来のコンバインには、刈取装置の穀稈引起装置と脱穀装置の穀稈供給口部との間に亘って穀稈搬送装置部の上方を防塵カバーで覆う形態のものがある。（例えば、特許文献１，２参照。）
【特許文献１】実願平０１−０５２１０４号（実開平０２−１４２１１７号）のマイクロフィルム
【特許文献２】特開平０６−１３３６２７号公報
【発明の開示】
【発明が解決しようとする課題】
【０００３】
上述のように、刈取装置の穀稈引起装置と脱穀装置の穀稈供給口部との間に亘って、穀稈搬送装置部の上方を防塵カバーで覆う形態のコンバインにおいては、防塵カバーの前面に作業灯が設けられていなかった。
【課題を解決するための手段】
【０００４】
この発明は、昇降可能な刈取装置（２）の穀稈引起装置（３）上側から脱穀装置（５）の穀稈供給口部（６）上方に亘る間に、前部防塵カバー（７）と開閉可能の後部防塵カバー（８）とから成る防塵カバーを設け、前記穀稈引起装置（３）の引起ラグ（１１）の速度を変更操作する引起変速レバー（１２）を前記防塵カバーの内側に取り付け、前記脱穀装置（５）の穀稈供給口部（６）側にフィードチェン（２０）の始端部上に配置する引継ぎガイド（４９）を上下回動可能に設けて、前記後部防塵カバー（８）を開いた状態で引継ぎガイド（４９）を上方へ回動させて該引継ぎガイド（４９）の前側に穀稈供給間隔（Ｃ）部を形成して手刈り穀稈を該穀稈供給間隔（Ｃ）部からフィードチェン（２０）と挟扼杆（２１）との間に供給できるように構成し、前記前部防塵カバー（７）の前面に作業灯（４７）を設けて該作業灯（４７）によって前方を照らせるように構成し、前記刈取装置（２）を、刈取フレーム（９）によって昇降可能に構成し、前記穀稈引起装置（３）を、刈取フレーム（９）の前部から立設される引起ピラー（２５）の上端部で門型を構成する引起伝動ケース（２６）と引起ケース（２９）とから構成し、前記引起ピラー（２５）と引起伝動ケース（２６）との間に引起ケース（２９）内の引起ラグ（１１）の速度を高、低に変更する変速部を設け、さらに、前記前部防塵カバー（７）を、前記刈取フレーム（９）に一体に取り付けられるカバー支持フレーム（１０）によって一定位置に支持固定する構成とし、前記後部防塵カバー（８）を、前記刈取フレーム（９）が昇降回動する昇降軸（２３）の回りに前後回動するカバー支持アーム（３８）で支持して前後方向に移動可能に構成し、前記後部防塵カバー（８）が前方へ移動して開いているときの作業灯（４７）の照射域（Ｌ１）を、前方だけでなく引起ケース（２９）の直前に近い部分をも照射して該後部防塵カバー（８）が後退しているときの照射域（Ｌ２）よりも広くなるように構成したことを特徴とするコンバインの構成とする。
【発明の効果】
【０００５】
操縦席から引起変速レバー１２を操作して穀稈引起装置３の引起ラグ１１の速度を変更することができる。
後部防塵カバー８を開いた状態で引継ぎガイド４９を上方へ回動させて、該引継ぎガイド４９の前側に穀稈供給間隔Ｃ部を形成して、手刈り穀稈をこの穀稈供給間隔Ｃ部からフィードチェン２０と挟扼杆２１との間に供給して脱穀することができる。
【０００６】
また、コンバインによる刈取脱穀作業においては、前部防塵カバ−７の前面に設けた作業灯４７によって前方を照らして見やすくすることができる。
また、引起ラグ１１の速度を容易に高、低に変更可能となる。
また、後部防塵カバー８を昇降回動するカバー支持アーム３８を、刈取フレーム９が昇降回動する昇降軸２３の回りに前後回動するように設けているので、カバー支持アーム３８を支持するための別部材が不要となる。
また、後部防塵カバー８が前方へ移動して開いているときの作業灯４７の照射域Ｌ１を、後部防塵カバー８が後退しているときの照射域Ｌ２よりも広くなるように構成しているので、作業灯４７の照射域を広くしたい場合は、後部防塵カバー８を前方へ移動させることで容易に照射域が広くなる。そして、該作業灯４７によって前方だけでなく引起ケース２９の直前に近い部分をも照射できるので、穀稈の引き起こし状態が見やすくなる。
【発明を実施するための最良の形態】
【０００７】
コンバインは自脱形態で、クローラ走行装置１５を有する車体１の前部に刈取装置２をリフトシリンダ１６の伸縮で昇降可能にして支架し、この後方に脱穀装置５を搭載し、又、これら刈取装置２及び脱穀装置５の横側に、前部の操縦台１７、操縦席１４、及びエンジン等を搭載し、後部にグレンタンク１８及び排穀オーガ１９等を搭載している。
【０００８】
刈取装置２で刈取られる穀稈は、穀稈搬送装置４で、脱穀装置５の穀稈供給口部６へ搬送して、フィードチェン２０と挾扼杆２１との間に挾持させて、後方へ搬送させながら穂部を脱穀室内へ供給して脱穀選別する。この脱穀された穀粒は揚穀機で横側のグレンタンク１８に収容され、又、満杯になると排穀オーガ１９によって機外へ排出できる。
【０００９】
前記刈取装置２の刈取フレーム９は、後端部を車体１前部の支持ブラケット２２上に昇降軸２３の回りに昇降回動されるもので、この刈取フレーム９に、穀稈引起装置３、穀稈掻込装置、刈刃装置２４、穀稈搬送装置４、及び前部防塵カバー（防塵カバ−）７等が装着されて、前記リフトシリンダ１６の油圧伸縮で昇降調節される。
【００１０】
前記穀稈引起装置３は、刈取フレーム９の前部から立設される引起ピラー２５の上端部門形の引起伝動ケース２６と、分草杆２７前端の分草体２８部との間に亘って連結される引起ケース２９を有し、この引起ケース２９内には引起ラグ１１を配設する引起チエン３０を上下のスプロケット３１間に掛け渡して、ラグガイドに摺接案内させて回転することにより、引起ラグ１１を横側の穀稈引起通路Ａに突出させて穀稈を掻き上げながら一定の姿勢に起立させて、刈取の行われ易い姿勢とするものである。  
【００１１】
前記引起ピラー２５の上部には、前記刈取フレーム９内の伝動軸から連動される伝動軸３２と、引起伝動ケース２６内の各伝動軸３３，３４へ連動する伝動軸３５との間に、変速シフター３６により切替えられる変速ギヤ３７が設けられて、引起変速レバー１２の操作で変速シフター３６を操作して、変速ギヤ３７を切替えることによって、伝動軸３２の回転を高、低に切替えて伝動軸３５へ伝動し、各引起ケース２９の引起ラグ１１の回転を変速伝動できる。
【００１２】
前記刈取装置２の穀稈搬送装置４の上方には、穀稈引起装置３の上端部の引起伝動ケース２６部上を覆う伝動カバー４５部と、後方の脱穀装置５前端の穀稈供給口部６との間に亘って、正断面視で門形状の前部防塵カバー７と後部防塵カバー（防塵カバー）８とを設けて、この後部防塵カバー８は前後方向へ移動させて開閉することができる。
【００１３】
これら前部防塵カバー７は、前記刈取フレーム９に一体に取付けられるカバー支持フレーム１０によって一定位置に支持され、後部防塵カバー８は、前記昇降軸２３の回りに前後回動される下部を穂先側へＬ字状に屈曲されたカバー支持アーム３８に後端部をヒンジ４１で支持されて、後部防塵カバー８の前端部は、前部防塵カバー７の上面に沿うように支持案内される。カバー支持フレーム１０の左右両側部から前部防塵カバー７の外側にガイドロール３９を配置支持し、このガイドロール３９に後部防塵カバー８のレール４０を支持させて前後に摺動案内させる。４２はハンドルである。４３は刈取装置２の横外側部を覆うサイドカバーである。
【００１４】
前記カバー支持フレーム１０の操縦台１７側の一部４４を、前部防塵カバー７の横端から外側へ突出させて、この突出部４４に引起変速レバー１２を前後に切替回動できるように取り付ける。この変速レバー１２の取付位置は防塵カバー７の内側に位置するもよいが、この場合でも先端の把持部１３は、これら前・後部防塵カバー７，８よりも横外側に露出されて、操縦席１４から操縦者が把持しやすい状態とする。この引起変速レバー１２と前記引起装置３の変速シフター３６とを、これら前部防塵カバー７や伝動カバー４５内の連動機構４６を経て連動し、この引起変速レバー１２を前後に回動して変速ギヤ３６を切替できる。前・後防塵カバー７，８の横端と操縦台１７の横端との対向面には、適宜の間隔部Ｂが形成される。
【００１５】
前記前部防塵カバー７の前面には作業灯４７を設けている。前記後部防塵カバー８を前側へ移動させて開いた状態では、この後部防塵カバー８の前端部が該作業灯４７上側を前方に張り出す張出部４８が反射面となって、作業灯４７の照射域が前方だけでなく、引起ケース２９の直前に近い部分をも照射してＬ１（図８）、後部防塵カバー８が後退しているときの照射域Ｌ２よりも広くなり、穀稈の引起状態を見やすくする。
【００１６】
前記脱穀装置５の前側の穀稈供給口部６には、フィードチェン２０の始端部上に引継ぎガイド４９が、この穀稈供給口部６上側の脱穀装置５のフレーム部のヒンジ５０の回りに上下回動することができ（図９）、後部防塵カバー８を開いた状態で引継ぎガイド４９を上方へ回動して、これら後部防塵カバー８後部と引継ぎガイド４９との間の穀稈供給間隔Ｃを開けて、手刈り穀稈Ｄをこの間隔Ｃからフィードチェン２０と挾扼杆２１との間に挾扼供給することができる。これらフィードチェン２０や挾扼杆２１、及び引継ガイド４９等は、後部防塵カバー８の株元側外側に沿って設けられる。
【００１７】
前記排穀オーガ１９は、後部の縦排穀オーガ部の回りに前端の排穀口５１部を上下左右に旋回移動させて、排穀位置を選択できるが、この排穀オーガ１９の排穀口５１を有する先端部５２は、前記前部防塵カバー７部の中央部上部でヒンジ５３の回りに回動させて折畳むことができ、これら折畳まれたオーガ１９及び先端部５２の開口部５４，５５を前部防塵カバー７上に位置させて、これらの開口部５４，５５から漏下する排穀物をカバー７上面から圃場面に落下案内させる。この前部防塵カバー７の上面を正断面円弧状に形成している。
【図面の簡単な説明】
【００１８】
【図１】コンバインの防塵カバー部の平面図。
【図２】その側面図。
【図３】その作用を示す側面図、及び平面図。
【図４】その一部の正断面図。
【図５】稈引起装置の伝動機構部の正面図。
【図６】コンバインの側面図。
【図７】その正面図。
【図８】作業灯部の作用を示す側面図。
【図９】後部防塵カバー部の作用を示す側面図。
【図１０】排穀オーガ部の作用を示す平面図。
【符号の説明】
【００１９】
２    刈取装置
３    穀稈引起装置
５    脱穀装置
６    穀稈供給口部
７    前部防塵カバー（防塵カバー）
８    後部防塵カバー（防塵カバー）
９    刈取フレーム
１０    カバー支持フレーム
１１    引起ラグ
１２    引起変速レバー
２０    フィードチェン
２３    昇降軸
２５    引起ピラー
２６    引起伝動ケース
２８    分草体
２９    引起ケース
３８    カバー支持アーム
４７    作業灯
４９    引継ぎガイド
Ｃ      穀稈供給間隔
Ｌ１    照射域
Ｌ２    照射域
【図１】
0003952069.tif 000002
【図２】
0003952069.tif 000003
【図３】
0003952069.tif 000004
【図４】
0003952069.tif 000005
【図５】
0003952069.tif 000006
【図６】
0003952069.tif 000007
【図７】
0003952069.tif 000008
【図８】
0003952069.tif 000009
【図９】
0003952069.tif 000010
【図１０】
0003952069.tif 000011